(57)【要約】【課題】患者に非接触の状態で心拍を確実に検知し、心拍データの有無で徘徊を検知する。【解決手段】ナースコールシステムにおいて、ベッド子機に接続し、マイクロ波を用いてベッド上の患者の心拍を測定するドップラーセンサを備え、心拍を測定中に体動が発生した等の理由でドップラーセンサが異常データを検出した後に心拍が非検出となった場合、患者がベッドから離脱したと判断して前記ベッド子機を介してナースコール親機に警報を発信する。【選択図】図１
2012205770.tif 000002
【特許請求の範囲】
【請求項１】
ナースステーション内のナースコール親機と病室に設置されたベッド子機とからなるナースコールシステムにおいて、前記ベッド子機に接続し、マイクロ波を用いてベッド上の患者の心拍を測定するドップラーセンサを備え、前記ドップラーセンサは、前記患者のベッド底部にマイクロ波の送受信部を備えたことを特徴とするナースコールシステム。
【請求項２】
前記ドップラーセンサは、位相が相互に９０°異なるキャリア信号によって同期検波した２つの検波信号出力を行なうセンサ出力部と、前記それぞれのセンサ出力部のデータを入力して２つの検波信号の位相差を用いて２つの検波信号の演算処理行なうＤＳＰを備えたことを特徴とする請求項１記載のナースコールシステム。
【請求項３】
前記ドップラーセンサは、前記心拍が異常高値やノイズ等の異常データを検出した後に非検出となった場合、患者がベッドから離脱したと判断して前記ベッド子機を介して前記ナースコール親機に警報を発信する発信部を備えたことを特徴とする請求項１または請求項２記載のナースコールシステム。
【請求項４】
前記ベッド子機は、前記発信部からの警報に対して一定時間警報を報知するとともに前記警報を停止する復旧部を備えるとともに、前記復旧部による復旧操作が一定時間行なわれなかった場合に前記ナースコール親機に警報を発信する転送部を備えたことを特徴とする請求項１〜請求項３記載のナースコールシステム。
【発明の詳細な説明】
【技術分野】
【０００１】
本発明は病室等のベッド底面に取り付けられ、ナースコール子機を介してナースコール親機に離床警報信号を出力することで患者の徘徊を早期に検知するナースコールシステムに関するものである。
【背景技術】
【０００２】
患者の徘徊を防止するために、離床センサや振舞センサを設けて患者の徘徊を検出し、警報を発報する高齢者介護補助システムが考案されている。
【先行技術文献】
【特許文献】
【０００３】
【特許文献１】特開平９−３２７４４２号公報
【発明の概要】
【発明が解決しようとする課題】
【０００４】
これらのシステムでは、振舞センサ、離床センサともに誤検知、検知漏れが多く発生し、信頼性に欠けるものであった。
【課題を解決するための手段】
【０００５】
上記課題を解決するため、本発明によるナースコールシステムは、ナースステーション内のナースコール親機と病室に設置されたベッド子機とからなるナースコールシステムにおいて、ベッド子機に接続し、マイクロ波を用いてベッド上の患者の心拍を測定するドップラーセンサを備え、さらにドップラーセンサは、患者のベッド底部にマイクロ波の送受信部を備えたものである。
【０００６】
また、ドップラーセンサは、位相が相互に９０°異なるキャリア信号によって同期検波した２つの検波信号出力を行なうセンサ出力部と、前記それぞれのセンサ出力部からの２つの検波信号の位相差を用いて演算処理を行なうＤＳＰを備えたものである。
【０００７】
また、ドップラーセンサは、心拍が異常高値やノイズ等の異常データを検出した後に非検出となった場合、患者がベッドから離脱したと判断して前記ベッド子機を介してナースコール親機に警報を発信する発信部を備えたものである。
【０００８】
また、ベッド子機は、発信部からの警報に対して一定時間警報を報知するとともに前記警報を停止する復旧部を備えるとともに、復旧部による復旧操作が一定時間行なわれなかった場合に前記ナースコール親機に警報を発信する転送部を備えたものである。
【発明の効果】
【０００９】
請求項１の発明によれば、ドップラーセンサを用いて患者の心拍を測定し、患者がベッド上に存在することを容易に、かつ確実に検知できる。
【００１０】
請求項２の発明によれば、２つのデータの位相差を用いてデジタル信号処理を行なうため、受信した信号から患者の体動由来によるノイズ以外の他のノイズを消去することができ、心拍を確実に検出できる。
【００１１】
請求項３の発明によれば、心拍に異常データが検出されたことにより患者の体動が検知でき、その後心拍が非検出となれば患者がベッドから離脱したと判断してナースコール親機に警報を発信するため、徘徊を確実に検知できる。
【００１２】
請求項４の発明によれば、ベッド子機は一定時間復旧操作を待ってからナースコール親機に警報を発信するため、介護者が患者を連れ出す際に発生する誤報を防ぐことができる。
【図面の簡単な説明】
【００１３】
【図１】本システムのブロック図を示したものである。
【図２】本システムの送受信部３１、センサ出力部３２の詳細なブロック図である。
【図３】本システムの心拍の測定データであり、（ａ）は送受信部３１で受信した信号、（ｂ）はＤＳＰ３３の出力信号である。
【図４】本システムの体動が発生したときの心拍の測定データによるＤＳＰ３３の出力信号である。
【発明を実施するための形態】
【実施例１】
【００１４】
図１は本システムのブロック図を示したものであり、１はナースステーションに設置されて患者Ｐからの呼出を報知する親機スピーカ１２や図示しないディスプレイを備えたナースコール親機、２は患者近傍に設置され、患者が操作する図示しないナースコール握りボタンや後述するドップラーセンサ３を接続してナースコール親機１に警報を転送するとともにスピーカによって警報を鳴動するベッド子機、３は２４ＧＨｚの信号マイクロ波Ｗを送受信して微小振動を検出するドップラーセンサ、４は入院中の患者Ｐが寝ているベッドである。ベッド子機２には警報を鳴動する子機スピーカ２２と、警報を復旧操作する復旧ボタン２４と、警報をナースコール親機１に転送する転送部２３と、子機スピーカ２２、転送部２３、復旧ボタン２４をそれぞれ制御するとともにドップラーセンサ３や図示しない握りボタンからの呼出信号を受信する子機ＣＰＵ２１とを備えている。ドップラーセンサ３はマイクロ波Ｗを送受信するためにベッド４の底部（ベッド４裏面、マットレスの上等）に備えられた送受信部３１と、送受信部３１からの信号を受信して同期検波した２つの検波信号出力を行なうセンサ出力部３２と、センサ出力部３２からの２つの検波信号の位相差を用いてデジタル信号処理を行なうＤＳＰ３３を備えている。
【００１５】
以下、動作について説明する。なお、図示しないナースコール握りボタンの操作によりナースコール親機１の親機スピーカ１２が鳴動し、ナースステーションに呼出通知を行なう動作については従来同等であるため省略し、ドップラーセンサ３のトリガによる動作について説明する。
【００１６】
送受信部３１は、患者Ｐが横になっているベッド４の底部、特に患者Ｐの心臓の真下の位置を狙って設置され、望ましくは患者Ｐの心臓から６０ｃｍ以内の位置に設置される。
【００１７】
図２に示すように、送受信部３１はセンサ出力部３２で生成された２４ＧＨｚのマイクロ波を発信するとともに、患者Ｐの心臓から反射された反射波を受信してセンサ出力部３２に送信する。
【００１８】
センサ出力部３２では、送受信部３１で受信された反射波を２つのキャリア信号によって同期検波する。このとき、一方のキャリア信号は他方に対して９０°位相をずらすことにより、２つの検波信号をＤＳＰ３３に対して出力する。ＤＳＰ３３では、センサ出力部３２で生成された２つの検波信号の演算処理を行なうことにより、心臓の拍動を検出することができる。
【００１９】
送受信部３１で受信した反射波の波形は図３（ａ）に示すようにノイズの多い波形であるが、前述した２つの検波信号によりデジタル処理を行なうことによって図３（ｂ）に示すような波形をＤＳＰ３３から出力することができ、心拍が安定して患者が安静に横になっていることが検出できる。
【００２０】
次に、患者Ｐがベッド４上で動いたなどにより、体動が発生した場合について説明する。体動は、心拍に比較すると非常に大きな振動が発生するため、図４に示すように、ＤＳＰ３３の出力波形は心拍と比較して１０倍以上の振幅で大きく変動し、体動の存在を容易に確認できる。その後、図４のように心拍波形が再び検出されれば、患者Ｐが再びベッド４上で安静になり定常状態に戻ったと判定されるが、もし体動が検出された後に心拍波形が再び検出されない、つまりＤＳＰ３３の出力波形が平坦となれば、患者Ｐが徘徊を行なっている可能性があるため、図１に示す発信部３４が徘徊警報をベッド子機２に対して送信する。徘徊警報を受信したベッド子機２の子機ＣＰＵ２１は、子機スピーカ２２から徘徊警報音を鳴動する。なお、実際には徘徊等でなく、看護師の付添いによるリハビリ、検査等の移動による誤検知の可能性もあるため、子機スピーカ２２が一定時間徘徊警報音を鳴動している間に復旧ボタン２４を操作すると、復旧ボタン２４の操作を検出した子機ＣＰＵ２１は、子機スピーカ２２からの徘徊警報音が停止するとともに、発信部３４に対して誤検知を通知する。
【００２１】
子機スピーカ２２が一定時間徘徊警報音を鳴動している間に復旧ボタン２４が操作されなければ、子機ＣＰＵ２１は実際に徘徊が発生したと断定し、転送部２３を介してナースコール親機１に対して徘徊警報を転送する。徘徊警報を受信したナースコール親機１の親機ＣＰＵ１１は、親機スピーカ１２や図示しないディスプレイによって徘徊警報を報知することにより、看護師は患者の徘徊を検知して現地に向かうことができる。
【産業上の利用可能性】
【００２２】
なお、本実施例においては心拍を徘徊検知目的に使用する場合について説明したが、患者の瀕脈等の心拍異常、体調不良を検出してナースコール親機に呼出を行なうことも好適である。例えば振幅の増加がないままＤＳＰ３３の出力波形が平坦となれば、心臓発作等患者に緊急事態が発生した可能性もあり、他の呼出に比較して優先度の高い警報として通知することもできる。
【符号の説明】
【００２３】
１      ナースコール親機
２      ベッド子機
２３  転送部
２４  復旧ボタン
３      ドップラーセンサ
３１  送受信部
３２  センサ出力部
３３  ＤＳＰ
３４  発信部
Ｗ      マイクロ波
【図１】
2012205770.tif 000003
【図２】
2012205770.tif 000004
【図３】
2012205770.tif 000005
【図４】
2012205770.tif 000006